(57)【要約】【課題】小さな嵌合力で嵌合させることができ、嵌合後は嵌合状態を強固に維持する。【解決手段】電線付き雌端子１１を収容するコネクタハウジング３と、一対の側壁部及びこれらを連結する連結角部１７，１９からなるコネクタフード５とを有する雌コネクタ２１と、バスバージョイント端子２３を収容し、一対の側壁部及びこれらを連結する連結角部３１からなる雄コネクタ３５とを備え、連結角部１７，１９，３１を易変形状態に形成した。【選択図】図１
2010086870.tif 000002
【特許請求の範囲】
【請求項１】
電線付き雌端子を収容するコネクタハウジングと、前記コネクタハウジングの外周側に配置されたコネクタフードと、前記コネクタハウジングとコネクタフードの一側端を連結することによって他側に開口した収容部を形成する奥壁部とからなり、前記コネクタフードが、対向する一対の側壁部及びこれらを連結する連結角部を有する雌コネクタと、
バスバージョイント端子を収容するコネクタ本体と、対向する一対の側壁部及びこれらを連結する連結角部からなる嵌合フード部を有する雄コネクタとを備え、
前記雌コネクタにロック係止孔が設けられ、前記雄コネクタには前記ロック係止孔に係止するロック部が設けられており、
前記雄コネクタを前記雌コネクタの収容部に挿入すると、前記バスバージョイント端子が前記雌端子と嵌合すると共に、前記ロック部が前記ロック係止孔に係止して雄コネクタを位置決めし、バスバージョイント端子と雌端子との嵌合を保持するコネクタであって、
前記雌コネクタの連結角部を、易変形状態に形成したことを特徴とするコネクタ。
【請求項２】
請求項１に記載されたコネクタであって、
前記雄コネクタの連結角部を、易変形状態に形成したことを特徴とするコネクタ。
【請求項３】
請求項１または請求項２に記載されたコネクタであって、
前記連結角部を、外面側の曲率を内面側の曲率より大きくすることによって易変形状態に形成したことを特徴とするコネクタ。
【発明の詳細な説明】
【技術分野】
【０００１】
本発明は、車両に用いられ、雌端子にバスバージョイント端子を嵌合させるコネクタに関する。
【背景技術】
【０００２】
特許文献１に「防水ジョイントコネクタ」が記載されている。図７〜図１０に示すように、この防水ジョイントコネクタ２０１では、コネクタハウジング２０３に、端子金具２０５を収容し、シール部材２０７とシールホルダ２０９を取付け、さらに、コネクタハウジング２０３にバスバー体２１１を取り付けて所定の端子金具２０３を短絡し、その後、キャップ２１３を、バスバー体２１１とコネクタハウジング２０３とシール部材２０７とシールホルダ２０９に被せる。このとき、キャップ２１３の固定は、キャップ２１３のロック孔２１５にシールホルダ２０９のロック突起２１７を係止することによって行われる。
【０００３】
また、図１１〜図１５は従来の他のコネクタを示している。このコネクタは雌端子３０１を収容する雌コネクタ３０３と、バスバージョイント端子３０５を収容する雄コネクタ３０７を備えており、雄コネクタ３０７を雌コネクタ３０３に挿入すると、バスバージョイント端子３０５が雌端子３０１と係合して短絡させると共に、雄コネクタ３０７に設けられたロック部３０９が雌コネクタ３０７に設けられたロック係止孔に係止することによって雄コネクタ３０７が固定される。
【特許文献１】特開２０００−２９９１６１号公報
【発明の開示】
【発明が解決しようとする課題】
【０００４】
端子をバスバーで短絡する上記のようなコネクタの場合、一旦嵌合させた端子とバスバーは嵌合を解除する必要がなく、従って、雄コネクタと雌コネクタは嵌め殺しにされており、嵌め殺し嵌合の場合、小さい嵌合力で容易に嵌合できるように構成すると嵌合部は振動などを受けて外れ易くなるから、作業性より嵌合の堅牢性が優先されている。
【０００５】
例えば、コネクタの場合、図１１〜図１３のように、雌コネクタ３０３の角部３１１と角部３１３の厚さＦと厚さＧは壁部３１５の厚さＨと同じであり、図１４と図１５のように、雄コネクタ３０７の角部３１７の厚さＩは壁部３１９の厚さＪと同じであり、角部３１１，３１３，３１７が撓みにくいから、嵌合に当たってはそれだけ大きな嵌合力が必要である。
【０００６】
そこで、この発明は、小さな嵌合力で嵌合させることができる上に、嵌合した後は強固な嵌合状態が維持されるコネクタの提供を目的としている。
【課題を解決するための手段】
【０００７】
請求項１のコネクタは、電線付き雌端子を収容するコネクタハウジングと、前記コネクタハウジングの外周側に配置されたコネクタフードと、前記コネクタハウジングとコネクタフードの一側端を連結することによって他側に開口した収容部を形成する奥壁部とからなり、前記コネクタフードが、対向する一対の側壁部及びこれらを連結する連結角部を有する雌コネクタと、バスバージョイント端子を収容するコネクタ本体と、対向する一対の側壁部及びこれらを連結する連結角部からなる嵌合フード部を有する雄コネクタとを備え、前記雌コネクタにロック係止孔が設けられ、前記雄コネクタには前記ロック係止孔に係止するロック部が設けられており、前記雄コネクタを前記雌コネクタの収容部に挿入すると、前記バスバージョイント端子が前記雌端子と嵌合すると共に、前記ロック部が前記ロック係止孔に係止して雄コネクタを位置決めし、バスバージョイント端子と雌端子との嵌合を保持するコネクタであって、前記雌コネクタの連結角部を、易変形状態に形成したことを特徴とする。
【０００８】
請求項２の発明は、請求項１に記載されたコネクタであって、前記雄コネクタの連結角部を、易変形状態に形成したことを特徴とする。
【０００９】
請求項３の発明は、請求項１または請求項２に記載されたコネクタであって、前記連結角部を、外面側の曲率を内面側の曲率より大きくすることによって易変形状態に形成したことを特徴とする。
【発明の効果】
【００１０】
請求項１のコネクタは、連結角部を易変形状態（容易に変形する状態）にした雌コネクタは、連結角部を中心にして全体が変形し易くなるから、小さな嵌合力で雄コネクタを雌コネクタに挿入することが可能になる。また、嵌合した後は、雌コネクタのロック係止孔に雄コネクタのロック部が係止することによって、バスバージョイント端子と雌端子との嵌合及び雄コネクタと雌コネクタとの嵌合が強固な状態に維持される。
【００１１】
請求項２のコネクタは、請求項１の構成と同等の効果が得られる。
【００１２】
また、雄コネクタの連結角部を易変形状態にしたことにより、雄コネクタも連結角部を中心にして変形し易くなるから、必要な嵌合力がさらに小さくなり、嵌合作業がさらに容易になる。
【００１３】
請求項３のコネクタは、請求項１または請求項２の構成と同等の効果が得られる。
【００１４】
また、各連結角部において、外面側の曲率を内面側の曲率より大きくする（薄肉部を設ける）ことによって易変形状態にしているから、それだけ必要な材料が低減されて低コストになると共に、手に持っての作業性（フィーリング）が向上する。
【発明を実施するための最良の形態】
【００１５】
＜一実施形態＞
図１〜図６によってコネクタ１（本発明の一実施形態）の説明をする。図１は嵌合前の雌コネクタ２１と雄コネクタ３５を示す斜視図、図２は雌コネクタ２１を雄コネクタ３５側から見た正面図、図３は雌コネクタ２１の連結角部１７の拡大図、図４は雌コネクタ２１の連結角部１９の拡大図、図５は雄コネクタ３５を雌コネクタ２１側から見た正面図、図６は雄コネクタ３５の連結角部３１の拡大図である。
【００１６】
実施形態のコネクタ１は、図１、図２、図５に示すように、電線付き雌端子１１を収容するコネクタハウジング３と、コネクタハウジング３の外周側に配置されたコネクタフード５と、コネクタハウジング３とコネクタフード５の一側端を連結することによって他側に開口した収容部７を形成する奥壁部９とからなる。  また、コネクタ１は、コネクタフード５が、対向する一対の側壁部１３，１５及びこれらを連結する連結角部１７，１９を有する雌コネクタ２１と、バスバージョイント端子２３を収容するコネクタ本体２５と、対向する一対の側壁部２７，２９及びこれらを連結する連結角部３１からなる嵌合フード部３３を有する雄コネクタ３５とを備えている。
【００１７】
さらに、コネクタ１は、雌コネクタ２１にロック係止孔３７が設けられ、雄コネクタ３５にはロック係止孔３７に係止するロック部３９が設けられており、雄コネクタ３５を雌コネクタ２１の収容部７に挿入すると、バスバージョイント端子２３が雌端子１１と嵌合すると共に、ロック部３９がロック係止孔３７に係止して雄コネクタ３５を位置決めし、バスバージョイント端子２３と雌端子１１との嵌合を保持する。
【００１８】
そして、本実施形態のコネクタ１は、雌コネクタ２１の連結角部１７，１９を、易変形状態に形成されている。
【００１９】
また、図３に示すように、連結角部１７では外面側の曲率Ｒ１を内面側の曲率Ｒ２より大きくすることにより、図４のように、連結角部１９では外面側の曲率Ｒ３を内面側の曲率Ｒ４より大きくすることにより、図６のように、連結角部３１では外面側の曲率Ｒ５を内面側の曲率Ｒ６より大きくすることによって、連結角部１７，１９，３１をそれぞれ易変形状態にしている。
【００２０】
次に、コネクタ１の構成を説明する。
【００２１】
図２のように、雌コネクタ２１のコネクタハウジング３の外周にはパッキング４１が装着されており、雄コネクタ３５を雌コネクタ２１に嵌合させると、パッキング４１は雄コネクタ３５の嵌合フード部３３の先端側内周とコネクタハウジング３の外周との間で圧縮されてシール性を得る。
【００２２】
また、上記のように、連結角部１７では外面側の曲率Ｒ１を内面側の曲率Ｒ２より大きくすることによって連結角部１７の板厚Ｂを側壁部１３の板厚Ａより薄くし、連結角部１９では外面側の曲率Ｒ３を内面側の曲率Ｒ４より大きくすることによって連結角部１９の板厚Ｃを側壁部１３の板厚Ａより薄くし、連結角部３１では外面側の曲率Ｒ５を内面側の曲率Ｒ６より大きくすることによって連結角部３１の板厚Ｅを側壁部２７の板厚Ｄより薄くし、それぞれを易変形状態にしており、その結果、雌コネクタ２１（コネクタフード５）は連結角部１７，１９を中心にして撓み易くなり、雄コネクタ３５は連結角部３１を中心にして撓み易くなっている。
【００２３】
雄コネクタ３５を雌コネクタ２１に嵌合すると、バスバージョイント端子２３のピン４３が雌端子１１と嵌合して所定の雌端子１１が短絡されると共に、ロック部３９がロック係止孔３７に係止する。
【００２４】
コネクタ１は次のような効果が得られる。
【００２５】
連結角部１７，１９を薄肉にして容易に変形できるようにした雌コネクタ２１と、連結角部３１を薄肉にして容易に変形できるようにした雄コネクタ３５は、連結角部１７，１９，３１を中心にして変形し易くなっているから、小さな嵌合力で雄コネクタ２１を雌コネクタ２１に嵌合させることが可能になる。
【００２６】
また、嵌合させた後はロック係止孔３７とロック部３９との係止によって、バスバージョイント端子２３と雌端子１１の嵌合及び雄コネクタ３５と雌コネクタ２１との嵌合が強固な状態で維持される。
【００２７】
また、易変形状態にするために、連結角部１７，１９を側壁部１３より薄肉にし、連結角部３１を側壁部２７より薄肉にしたことにより、雌コネクタ２１と雄コネクタ３５はそれだけ使用材料が低減されて低コストになると共に、手に持っての作業性（フィーリング）が向上する。
【００２８】
また、上記のように嵌合力を低減させたことに伴って、パッキング４１を嵌合フード部３３とコネクタハウジング３との間で圧縮するための圧縮力と嵌合力との合計である挿入力が低減されるから、雄コネクタ３５を雌コネクタ２１に嵌合させる際の作業性がそれだけ向上する。
【００２９】
［本発明の範囲に含まれる他の態様］
【図面の簡単な説明】
【００３０】
【図１】嵌合前の雌コネクタ２１と雄コネクタ３５を示す斜視図である。
【図２】雌コネクタ２１を雄コネクタ３５側から見た正面図である。
【図３】雌コネクタ２１の連結角部１７の拡大図である。
【図４】雌コネクタ２１の連結角部１９の拡大図である。
【図５】雄コネクタ３５を雌コネクタ２１側から見た正面図である。
【図６】雄コネクタ３５の連結角部３１の拡大図である。
【図７】従来例のコネクタを構成するコネクタハウジング２０３の斜視図である。
【図８】従来例のコネクタを構成するキャップ２１３の斜視図である。
【図９】従来例のコネクタを構成するバスバー体２１１の斜視図である。
【図１０】上記従来例のコネクタを示す断面図である。
【図１１】他の従来例のコネクタを構成する雌コネクタ３０３の断面図である。
【図１２】図１１の連結角部３１１の部分拡大図である。
【図１３】図１１の連結角部３１３の部分拡大図である。
【図１４】他の従来例のコネクタを構成する雄コネクタ３０７の断面図である。
【図１５】図１４の連結角部３１７の部分拡大図である。
【符号の説明】
【００３１】
１  コネクタ
３  コネクタハウジング
５  コネクタフード
７  収容部
９  奥壁部
１１  雌端子
１３，１５  側壁部
１７，１９  連結角部
２１  雌コネクタ
２３  バスバージョイント端子
２５  コネクタ本体
２７，２９  側壁部
３１  連結角部
３３  嵌合フード部
３５  雄コネクタ
３７  ロック係止孔
３９  ロック部
【図１】
2010086870.tif 000003
【図２】
2010086870.tif 000004
【図３】
2010086870.tif 000005
【図４】
2010086870.tif 000006
【図５】
2010086870.tif 000007
【図６】
2010086870.tif 000008
【図７】
2010086870.tif 000009
【図８】
2010086870.tif 000010
【図９】
2010086870.tif 000011
【図１０】
2010086870.tif 000012
【図１１】
2010086870.tif 000013
【図１２】
2010086870.tif 000014
【図１３】
2010086870.tif 000015
【図１４】
2010086870.tif 000016
【図１５】
2010086870.tif 000017